(57)【要約】      （修正有）【課題】リュック、ショルダーバッグの生地に着色した充填物を内蔵させて配色効果を発揮するバッグを提供する。【解決手段】リュック、ボストンバッグの収納本体を内層、外層１１及び内層と外層１１の間に充填物を充填してミシンで縫い付けて構成する。充填物は、任意の色に着色、染色した羽毛２１、ダウン２２、人造繊維或いは充填綿（Ｐｏｌｙｆｉｌｌ）などであって、外層材に透明或いは半透明の材質とすることにより、表装に充填物による配色を表出させて、変化のある配色効果を持たせる。【選択図】図４
0003154330.tif 000002
【実用新案登録請求の範囲】
【請求項１】
収納本体を、内層、外層、充填物により構成し、
その形状及び収納スペースを具有するようミシン縫いで形成し、ファスナー或いは金具で該収納スペースの開口を開閉可能に構成すると共に該収納本体に別途ベルトを設け、
該充填物は、着色・染色した羽毛、ダウン、充填綿、人造繊維、或いは羽毛とダウンで構成し、
前記外層は、透明或いは半透明の材質として、着色、染色した該充填物の色合いが透明或いは半透明の外層より表出されるようにしたことを特徴とするリュック、ボストンバッグ。
【請求項２】
前記収納本体の外層は、プリント処理、つや出し処理(Cire)、或いはフロッキング(Flocking)処理をすることにより、透明或いは半透明の外層に模様を具え、前記着色・染色した羽毛、ダウンなどの充填物と組み合わせて表出させたことを特徴とする請求項１記載のリュック、ボストンバッグ。
【請求項３】
前記収納本体の外層の内側に別途透明或いは半透明材質のウォータープルーフの通気性のあるフィルムを貼合することにより、ダウンなど比較的細かい繊維の充填物が外層からはみ出すのを防止したことを特徴とする請求項１記載のリュック、ボストンバッグ。
【請求項４】
前記収納本体の内層は、別途一重の不織布を縫い合わせたことを特徴とする請求項１記載のリュック、ボストンバッグ。
【請求項５】
前記収納本体の充填物である羽毛、ダウン、人造繊維或いは充填綿は、無地染め或いは二色以上の色に染めたこと特徴とする請求項１記載のリュック、ボストンバッグ。
【請求項６】
前記収納本体は、更に外部に一つ或いは一つ以上のポケットを縫い付け、該外部ポケットは内層、外層及びそれらの間に充填する充填物と共に該収納本体にミシンで縫いつけ、
該充填物は、着色・染色した羽毛、ダウン、充填綿、人造繊維或いは羽毛とダウンで構成したものであり、
前記外層は、透明或いは半透明の材質を使用して、該充填物の色合いが透明或いは半透明の外層より表出するようにし、
前記外層は、プリント処理、つや出し処理(Cire)、或いはフロッキング(Flocking)処理により、透明或いは半透明の外層に模様を形成して、前述の色付き羽毛、ダウンなどの充填物と組み合わせて表出させ、
前記外層の内側に別途透明或いは半透明材質のウォータープルーフの通気性のあるフィルムを貼合して、比較的細かい繊維の充填物が外層からはみ出すのを防止し、
前記収納本体の内層は別途一重の不織布を縫い合わせ、
前記外部ポケットの充填物である羽毛、ダウン、人造繊維、或いは充填綿は、無地染め或いは二色以上の色に着色・染色したことを特徴とする請求項１記載のリュック、ボストンバッグ。
【考案の詳細な説明】
【技術分野】
【０００１】
本考案はリュック、ボストンバッグの改良に関し、特に収納本体の改良に係り、該収納本体内の充填物を染色した色が透明或いは半透明の外層に透けて現すことができ、斬新なビジュアル感覚或いは興味や新鮮味のある美観効果を持つリュック、ボストンバッグの改良に関する。
【背景技術】
【０００２】
普段頻繁に使用する携帯電話やPDA、デジタルカメラ、ミュージックプレイヤー、USBメモリなど、或いは化粧品、乳液、鏡、くし、ティッシュなどの身の回り品は通常リュック(５１)(図１を参照)、ショルダーバッグ(５２)(図２を参照)或いはボストンバッグ(５３)(図３を参照)に収納される。しかし時代が進歩するにつれ、リュック(５１)、ショルダーバッグ(５２)或いはボストンバッグ(５３)の単純な収納機能のみ、或いは形状を変化するだけでは、もはや時代遅れとなったため、絶えず新しいものを作り出すことで、多様化していく生活スタイルの多様化に合わせる必要があることを鑑みて、更なるリュック、ボストンバッグの改良が必要であった。
【先行技術文献】
【特許文献】
【０００３】
【特許文献１】特開２００６−３２０６６２号公報
【特許文献２】特開２０００−１５２８２０号公報
【考案の概要】
【考案が解決しようとする課題】
【０００４】
前記従来技術の欠点を解決するため、本考案の第１の目的は、斬新なビジュアル感覚及び美観効果を提供できるリュック、ボストンバッグの改良を提供することにある。
本考案の第２の目的は、ユーザーの新鮮味及び興味を引きつけ、生活の多様化に適するリュック、ボストンバッグの改良を提供することにある。
【課題を解決するための手段】
【０００５】
前記課題を解決するために、本考案はリュック、ボストンバッグの改良を提供することにある。バッグ本体の材料として羽毛やダウン、人造繊維或いは充填綿などの充填物の色合いを透明或いは半透明の外層より現すことで、斬新なビジュアル感覚及び美観効果を提供することができるリュック、ボストンバッグの改良である。
【０００６】
また、該バッグ本体の充填物は一般の収納機能を備えるほか、斬新なものに対する新鮮味及び興味深さにより、ユーザーを引きつけ、多様化する生活スタイルに合わせることができ、消費者の購買意欲及び使用意欲を引き上げるリュック、ボストンバッグの改良である。
【考案の効果】
【０００７】
本考案はリュック、ボストンバッグの収納本体に充填する羽毛、ダウン、人造繊維或いは充填綿などの充填物の色合いは透明或いは半透明の外層より現すことができ、斬新なビジュアル感覚及び美観効果を具有し、更に消費者にとって、新鮮味及び興味深さが目を引きつけ、生活スタイルの多様化に迎合するため、購入及び使用する意欲が高まる。
【図面の簡単な説明】
【０００８】
【図１】従来技術のリュックの立体図である。
【図２】従来技術のショルダーバッグの立体図である。
【図３】従来技術のボストンバッグの立体図である。
【図４】本考案におけるリュックの立体図である。
【図５】本考案におけるリュックの収納本体の一部断面拡大略図である。
【図６】本考案におけるリュックの収納本体に具有するウォータープルーフの通気性のあるフィルムの一部断面拡大略図である。
【図７】本考案におけるリュックの収納本体の内部に縫い合わせる不織布層の一部断面拡大略図である。
【図８】本考案におけるリュックの収納バッグの一部断面拡大略図である。
【図９】本考案におけるリュックの収納バッグに具有するウォータープルーフの通気性のあるフィルムの一部断面拡大略図である。
【図１０】本考案におけるリュックの収納本体の内部に縫い合わせる不織布層の一部断面拡大略図である。
【図１１】本考案におけるショルダーバッグの立体図である。
【図１２】本考案におけるショルダーバッグの一部断面拡大図である。
【図１３】本考案におけるボストンバッグの立体図である。
【図１４】本考案におけるリュックの一部断面拡大図である。
【考案を実施するための形態】
【実施例】
【０００９】
本考案は、リュック、ボストンバッグの改良である。図４〜図７に示すのは本考案のリュック１の実施例であり、該リュック１の収納本体１０は必要な形状及び収納スペース１００を具有するようミシンで縫い合わせて形成している(図５を参照)。ファスナー１３或いは金具(図に未掲載)で該収納スペース１００の開口を開閉する。該収納本体１０は別途ベルト１４を設ける。
【００１０】
収納本体１０は、内層１２、外層１１及び内層１２と外層１１の間に充填物を充填してミシンで縫い付ける。該充填物とは羽毛２１(図５を参照)、ダウン２２、充填綿(Polyfill)(図に未掲載)、人造繊維(図に未掲載)或いは羽毛２１とダウン２２の成分で構成するものであり、本実施例の示す充填物とは羽毛２１及びダウン２２を含む。前記外層１１は、透明或いは半透明の材質を使用し、該充填物である羽毛２１、ダウン２２を好みの色に染めることで、該充填物の色合いが透明或いは半透明の外層１１より現すことができ、斬新なビジュアル感覚及び美観効果を具有する(図４の立体図を参照)。また、消費者にとって、新鮮味及び興味深さで目を引きつけ、購入及び使用する意欲を高める。
【００１１】
更に前記外層１１は、プリント(図に未掲載)処理、つや出し処理(Cire)(図に未掲載)、或いはフロッキング(Flocking)(図に未掲載)処理をすることで、透明或いは半透明の外層１１に模様を表出し、前述の色付き羽毛２１、ダウン２２などの充填物と組み合わせることで、更に見た目をよくする。
【００１２】
図６に示すように、前記外層１１の内側に別途透明或いは半透明材質の耐水・防水性で通気性のあるフィルムを貼合し、外層１１の生地の密度が小さい(即ち打ち込み本数が比較的少ない)時でも、ダウン２２など比較的細かい繊維の充填物がはみ出すのを防止する効果を持つ。
【００１３】
図７に示すように、前記内層１２は別途一重の不織布１２２を縫い合わせることもできる。
【００１４】
前記充填物である羽毛２１、ダウン２２、人造繊維(図に未掲載)或いは充填綿(図に未掲載)は無地染め或いは二色以上の色に染めることができ、色の数を増やすことで変化に富み、美観的ビジュアル効果が増える。
【００１５】
更に、前記収納本体１０は外部のポケット３を縫い付ける。該外部ポケット３は、内層３２、外層３１及びそれらの間に充填する充填物と共に該収納本体１０にミシンで縫いつける。該充填物とは羽毛４１(図８を参照)、ダウン４２、充填綿(図に未掲載)、人造繊維(図に未掲載)或いは羽毛４１プラスダウン４２の成分で構成するものであり、本実施例の示す充填物とは羽毛４１及びダウン４２を含む。前記外層３１は透明或いは半透明の材質を使用し、該充填物である羽毛４１、ダウン４２を好みの色に着色、染めることで、該充填物の色合いが透明或いは半透明の外層３１より現すことができ、斬新なビジュアル感覚及び美観効果を具有する。
【００１６】
更に前記外層３１は、プリント(図に未掲載)処理、つや出し処理(Cire)(図に未掲載)、或いはフロッキング(Flocking)(図に未掲載)処理をすることで、透明或いは半透明の外層３１に模様を表出し、前述の色付き羽毛４１、ダウン４２などの充填物と組み合わせることで、更に見た目をよくする。
【００１７】
図９に示すように、前記外層３１の内側に別途透明或いは半透明材質のウォータープルーフの通気性のあるフィルム３１１を貼合し、外層３１の生地の密度が小さい(即ち打ち込み本数が比較的少ない)時でも、ダウン４２など比較的細かい繊維の充填物がはみ出すのを防止する効果を持つ。
【００１８】
図１０に示すように、前記内層３２は別途一重の不織布３２２を縫い合わせることもできる。
【００１９】
前記充填物である羽毛４１、ダウン４２、人造繊維(図に未掲載)或いは充填綿(図に未掲載)は無地染め或いは二色以上の色に染めることができ、色の数を増やすことで変化性に富み、美観的ビジュアル効果が増える。
【００２０】
図１０〜図１２に示すのは本考案実施例のショルダーバッグの立体図及び部分断面拡大略図である。該ショルダーバッグ１′の収納本体１０′は必要な形状及び収納スペース１００′を具有するようミシンで縫い合わせて形成している。ファスナー１３′或いは金具(図に未掲載)で該収納スペース１００′の開口を開閉する。該収納本体１０′は別途ベルト１４′を設ける。
【００２１】
収納本体１０′は内層１２′、外層１１′及び内層１２′と外層１１′の間に充填物を充填してミシンで縫い付ける。該充填物とは羽毛２１(図１２を参照)、ダウン２２、充填綿(Polyfill)(図に未掲載)、人造繊維(図に未掲載)或いは羽毛２１とダウン２２の成分で構成するものであり、本実施例の示す充填物とは羽毛２１及びダウン２２を含む。前記外層１１′は透明或いは半透明の材質を使用し、該充填物である羽毛２１、ダウン２２を好みの色に染めることで、該充填物の色合いが透明或いは半透明の外層１１′より現すことができ、斬新なビジュアル感覚及び美観効果を具有する(図１１の立体図を参照)。また、消費者にとって、新鮮味及び興味深さで目を引きつけ、購入及び使用する意欲を高める。
【００２２】
更に前記外層１１′はプリント(図に未掲載)処理、つや出し処理(Cire)(図に未掲載)、或いはフロッキング(Flocking)(図に未掲載)処理をすることで、透明或いは半透明の外層１１′に模様を表出し、前述の色付き羽毛２１、ダウン２２などの充填物と組み合わせることで、更に見た目をよくする。
【００２３】
前記外層１１′の内側に別途透明或いは半透明材質のウォータープルーフの通気性のあるフィルム(図に未掲載)を貼合し、外層１１′の生地の密度が小さい(即ち打ち込み本数が比較的少ない)時でも、ダウン２２など比較的細かい繊維の充填物がはみ出すのを防止する効果を持つ。
【００２４】
更に前記内層１２′は別途一重の不織布を縫い合わせることもできる(図に未掲載)。
【００２５】
前記充填物である羽毛２１、ダウン２２、人造繊維(図に未掲載)或いは充填綿(図に未掲載)は無地染め或いは二色以上の色に染めることができ、色の数を増やすことで変化性に富み、美観的ビジュアル効果が増える。
【００２６】
更に前記収納本体１０′は外部に一つ或いは一つ以上のポケット(図に未掲載)を縫い付ける。当該特徴は第一実施例と同じであるため、再度記述しない。
【００２７】
図１３〜図１４に示すのは本考案実施例のボストンバッグの立体図及び部分断面拡大略図である。該ボストン１″の収納本体１０″は必要な形状及び収納スペース１００″を具有するようミシンで縫い合わせて形成している。ファスナー１３″或いは金具(図に未掲載)で該収納スペース１００″の開口を開閉する。該収納本体１０″は別途ベルト１４″或いは取っ手(図に未掲載)を設ける。
【００２８】
収納本体１０″は内層１２″、外層１１″及び内層１２″と外層１１″の間に充填物を充填してミシンで縫い付ける。該充填物とは羽毛２１(図１４を参照)、ダウン２２、充填綿(Polyfill)(図に未掲載)、人造繊維(図に未掲載)或いは羽毛２１とダウン２２の成分で構成するものであり、本実施例の示す充填物とは羽毛２１及びダウン２２を含む。前記外層１１″は透明或いは半透明の材質を使用し、該充填物である羽毛２１、ダウン２２を好みの色に染めることで、該充填物の色合いが透明或いは半透明の外層１１″より現すことができ、斬新なビジュアル感覚及び美観効果を具有する(図１３の立体図を参照)。また、消費者にとって、新鮮味及び興味深さで目を引きつけ、購入及び使用する意欲を高める。
【００２９】
更に、前記外層１１″はプリント(図に未掲載)処理、つや出し処理(Cire)(図に未掲載)、或いはフロッキング(Flocking)(図に未掲載)処理をすることで、透明或いは半透明の外層１１″に模様を具有し、前述の色付き羽毛２１、ダウン２２などの充填物と組み合わせることで、更に見た目をよくする。
【００３０】
前記外層１１″の内側に別途透明或いは半透明材質のウォータープルーフの通気性のあるフィルム(図に未掲載)を貼合し、外層１１″の生地の密度が小さい(即ち打ち込み本数が比較的少ない)時でも、ダウン２２など比較的細かい繊維の充填物がはみ出すのを防止する効果を持つ。
【００３１】
更に前記内層１２″は別途一重の不織布を縫い合わせることもできる(図に未掲載)。
【００３２】
前記充填物である羽毛２１、ダウン２２、人造繊維(図に未掲載)或いは充填綿(図に未掲載)は無地染め或いは二色以上の色に染めることができ、色の数を増やすことで変化性に富み、美観的ビジュアル効果が増える。
【００３３】
更に前記収納本体１０″は外部に一つ或いは一つ以上のポケット(図に未掲載)を縫い付ける。当該特徴は第一実施例と同じであるため、再度記述しない。
【００３４】
1.リュック、ボストンバッグ１、１′、１″の収納本体１０、１０′、１０″の羽    毛２１、ダウン２２、人造繊維或いは充填綿などの充填物の色合いは透明或いは    半透明の外層１１、１１′、１１″より現すことができ、斬新なビジュアル感覚    及び美観効果を具有する。
2.収納本体１０、１０′、１０″の充填物は一般的な収納機能のほか、消費者にと    って、新鮮味及び興味深さで目を引きつけ、生活スタイルの多様化に迎合するた    め、購入及び使用する意欲が高まる。
【符号の説明】
【００３５】
１  リュック
１'  ショルダーバッグ
１''  ボストンバッグ
１０  １０'  １０"  収納本体
１００  １００'  １００"  収納スペース
１１  １１'  １１"  ３１  外層
１１１  ３１１  防湿通気性薄膜
１２  １２'  １２"  内層
１２２  ３２２  不織布
１３  １３'  １３"  ファスナー
１４  ベルト
１４'  ベルト
１４"  ベルト
２１  ４１  羽毛
２２  ４２  ダウン
３  外部収納袋
【図１】
0003154330.tif 000003
【図２】
0003154330.tif 000004
【図３】
0003154330.tif 000005
【図４】
0003154330.tif 000006
【図５】
0003154330.tif 000007
【図６】
0003154330.tif 000008
【図７】
0003154330.tif 000009
【図８】
0003154330.tif 000010
【図９】
0003154330.tif 000011
【図１０】
0003154330.tif 000012
【図１１】
0003154330.tif 000013
【図１２】
0003154330.tif 000014
【図１３】
0003154330.tif 000015
【図１４】
0003154330.tif 000016